(57)【要約】【課題】従来構成に対して換気能力の高い送風システムを得る。【解決手段】エレベータが有するかご２０２の天面における扉２０１側に設けられ、当該かご２０２の内部に通じた空気取り込み口１０１と、かご２０２の天面における当該かご２０２の背面側に設けられ、当該かご２０２の内部に通じた空気吹き出し口１０２と、かご２０２の天面上に設けられ、空気取り込み口１０１から空気吹き出し口１０２へと空気を送風する軸流送風装置１０３と、かご２０２の天面上における軸流送風装置１０３の上流に配置され、空気取り込み口１０１から空気吹き出し口１０２へと流れる空気を清浄する空気清浄装置１０４と、かご２０２の天面上における軸流送風装置１０３の下流に配置され、空気取り込み口１０１から空気吹き出し口１０２へと流れる空気を清浄する空気清浄装置１０５とを備えた。【選択図】図１
2020040821.tif 000002
【特許請求の範囲】
【請求項１】
エレベータが有するかごの天面における扉側に設けられ、当該かごの内部に通じた空気取り込み口と、
前記かごの天面における当該かごの背面側に設けられ、当該かごの内部に通じた空気吹き出し口と、
前記かごの天面上に設けられ、前記空気取り込み口から前記空気吹き出し口へと空気を送風する軸流送風装置と、
前記かごの天面上における前記軸流送風装置の上流に配置され、前記空気取り込み口から前記空気吹き出し口へと流れる空気を清浄する第１の空気清浄装置と、
前記かごの天面上における前記軸流送風装置の下流に配置され、前記空気取り込み口から前記空気吹き出し口へと流れる空気を清浄する第２の空気清浄装置と
を備えた送風システム。
【請求項２】
前記軸流送風装置は、電動機、及び、当該電動機の駆動により回転する羽根車を有し、
前記扉の開閉を検知する開閉検知部と、
前記開閉検知部による検知結果に基づいて、前記電動機に対する出力電圧を制御する制御装置とを備えた
ことを特徴とする請求項１記載の送風システム。
【請求項３】
前記制御装置は、前記開閉検知部により前記扉が開いていることが検知された場合には前記電動機に対する出力電圧を上げ、前記開閉検知部により前記扉が閉じていることが検知された場合には前記電動機に対する出力電圧を下げる
ことを特徴とする請求項２記載の送風システム。
【請求項４】
前記制御装置は、前記開閉検知部による検知結果に基づいて、前記第２の空気清浄装置に対する電源出力を制御する
ことを特徴とする請求項２又は請求項３記載の送風システム。
【請求項５】
前記制御装置は、前記開閉検知部により前記扉が開いていることが検知された場合には前記第２の空気清浄装置の運転を停止させ、前記開閉検知部により前記扉が閉じていることが検知された場合には前記第２の空気清浄装置を運転させる。
ことを特徴とする請求項４記載の送風システム。
【請求項６】
前記軸流送風装置、前記第１の空気清浄装置、前記第２の空気清浄装置及び前記制御装置は一体に構成された
ことを特徴とする請求項２から請求項５のうちの何れか１項記載の送風システム。
【発明の詳細な説明】
【技術分野】
【０００１】
この発明は、エレベータが有するかごの内部に対して送風を行う送風システムに関する。
【背景技術】
【０００２】
従来から、エレベータには、送風システムが組み込まれている（例えば特許文献１参照）。この特許文献１に開示された送風システムは、エレベータのかごの天面上に設けられた換気装置を備え、この換気装置によって、かごの外部の空気をかごの内部に送り込んでいる。なお、換気装置は、横断流送風機を用いて送風を行っている。また、この送風システムでは、換気装置の給気口の上流側に、静電霧化装置等の脱臭装置が設けられる場合もある。
【先行技術文献】
【特許文献】
【０００３】
【特許文献１】特開２０１３−１１９４５９号公報
【発明の概要】
【発明が解決しようとする課題】
【０００４】
この送風システムでは、換気装置によって、かごの外部の空気をかごの内部に送り込む必要がある。しかしながら、かごの空気の排出側の隙間が少ないと、換気装置により送り込まれた空気によって置換される空気量が十分に確保されず、十分な換気が行えない又は換気に時間が掛かる。例えばエレベータの扉が閉じた状態では、かごの隙間が少ない状態となっている。
【０００５】
また、この送風システムでは、横断流送風機が用いられている。しかしながら、横断流送風機は、送風圧力が低い送風機であり、隙間の少ない空間では空気を送り込む能力が著しく低下する。そのため、羽根径の大きな送風機を使い送風圧力の不足を補う必要がある。また、横断流送風機は、羽根の枚数が多く、円筒の強度用の仕切板が複数あるため、部品点数が多く、コストが掛かり、質量も重くなる。
【０００６】
また、脱臭装置として脱臭成分を放出する装置を用いた場合、換気装置と組み合わせると、有効な脱臭成分を換気流によってかごの外部に押し出してしまう。よって、この送風システムでは、換気装置により換気量を増やせば増やす程、脱臭装置の脱臭成分による効果が薄れるといった、相反する作用を生じてしまう。
【０００７】
また、この送風システムでは、かごの外部の空気が清浄空気であることが条件となる。一方で、送風システムが設置される環境によって、１０μｍ程度の砂塵を含む塵埃量、湿気によるカビ又は臭い等のかごの外部の空気の条件は異なり、必ずしも同一の効果が得られるものではない。この送風システムでは、塵埃量等が多い環境から空気を取り込む場合、空気の汚れが多く、清浄機構を大きくして空気の浄化を行う必要がある。
【０００８】
また、この送風システムでは、かごの外部となる昇降路の空気を用いる。昇降路の温度は外気の影響を受けるため、この送風システムを用いた場合には、かごの内部の快適性が低下してしまうといった課題もある。
【０００９】
この発明は、上記のような課題を解決するためになされたもので、従来構成に対して換気能力の高い送風システムを提供することを目的としている。
【課題を解決するための手段】
【００１０】
この発明に係る送風システムは、エレベータが有するかごの天面における扉側に設けられ、当該かごの内部に通じた空気取り込み口と、かごの天面における当該かごの背面側に設けられ、当該かごの内部に通じた空気吹き出し口と、かごの天面上に設けられ、空気取り込み口から空気吹き出し口へと空気を送風する軸流送風装置と、かごの天面上における軸流送風装置の上流に配置され、空気取り込み口から空気吹き出し口へと流れる空気を清浄する第１の空気清浄装置と、かごの天面上における軸流送風装置の下流に配置され、空気取り込み口から空気吹き出し口へと流れる空気を清浄する第２の空気清浄装置とを備えたことを特徴とする。
【発明の効果】
【００１１】
この発明によれば、上記のように構成したので、従来構成に対して換気能力の高い送風システムを得ることができる。
【図面の簡単な説明】
【００１２】
【図１】この発明の実施の形態１に係る送風システムの構成例を示す縦断面図であり、かごの扉が開いている状態を示す図である。
【図２】この発明の実施の形態１における制御ユニットの構成例を示す図である。
【図３】この発明の実施の形態１に係る送風システムの構成例を示す縦断面図であり、かごの扉が閉じている状態を示す図である。
【図４】この発明の実施の形態２に係る送風システムの構成例を示す縦断面部分図である。
【図５】図５Ａ、図５Ｂは、この発明の実施の形態１，２における制御部のハードウェア構成例を示す図である。
【発明を実施するための形態】
【００１３】
以下、この発明の実施の形態について図面を参照しながら詳細に説明する。
実施の形態１．
図１はこの発明の実施の形態１に係る送風システムの構成例を示す図である。図１ではエレベータが有する扉２０１が開いた状態を示している。
送風システムは、エレベータに組み込まれ、当該エレベータが有するかご２０２の内部に対して送風を行う。この送風システムは、図１に示すように、空気取り込み口１０１、空気吹き出し口１０２、軸流送風装置１０３、空気清浄装置（第１の空気清浄装置）１０４、空気清浄装置（第２の空気清浄装置）１０５、センサ（開閉検知部）１０６、制御ユニット（制御装置）１０７、中間ダクト１０８、接続ダクト１０９及び接続ダクト１１０を備えている。
【００１４】
空気取り込み口１０１は、かご２０２の天面における扉２０１側に設けられ、かご２０２の内部に通じている。
空気吹き出し口１０２は、かご２０２の天面における当該かご２０２の背面側に設けられ、かご２０２の内部に通じている。
【００１５】
軸流送風装置１０３は、かご２０２の天面上に設けられ、取り込み口１０３１から吹き出し口１０３２へと空気を送風する。この軸流送風装置１０３は、電動機１０３３と、電動機１０３３の駆動により回転する羽根車１０３４とを有する。安価且つ簡素な軸流送風装置１０３を採用することで、横断流送風機より送風圧力が高められ圧力差を利用した空気の入れ替えを素早くでき、コスト面は低くなる。また、軸流送風装置１０３は、横断流送風機に対し、部品点数も少なく軽量化が可能となる。なお、軸流送風装置１０３は、ネジ等の固定手段によって天面上に固定される。
【００１６】
空気清浄装置１０４は、空気清浄フィルター等の装置であり、かご２０２の天面上における軸流送風装置１０３の上流に配置され、取り込み口１０４１から吹き出し口１０４２へと流れる空気を常時清浄する。空気清浄装置１０４が軸流送風装置１０３より上流に配置されることで、軸流送風装置１０３への塵埃付着が低減され送風システムの寿命が長くなる。なお、空気清浄装置１０４は、ネジ等の固定手段によって天面上に固定される。
【００１７】
空気清浄装置１０５は、静電霧化装置等の装置であり、かご２０２の天面上における軸流送風装置１０３の下流に配置され、取り込み口１０５１から吹き出し口１０５２へと流れる空気を清浄する。空気清浄装置１０５は、空気清浄装置１０５からの帯電水滴が羽根車１０３４によるせん断で消失しないように、軸流送風装置１０３の下流に配置される。なお、空気清浄装置１０５は、空気清浄フィルター又はイオン発生装置等の装置でもよい。
【００１８】
センサ１０６は、扉２０１の周辺に設けられ、扉２０１の開閉を検知する。このセンサ１０６による検知結果を示す信号は、信号線１１１を介して制御ユニット１０７に出力される。
【００１９】
制御ユニット１０７は、かご２０２の天面上に設けられ、センサ１０６による検知結果に基づいて軸流送風装置１０３及び空気清浄装置１０５を制御する。この制御ユニット１０７の構成例については後述する。
【００２０】
中間ダクト１０８は、空気清浄装置１０４の吹き出し口１０４２と軸流送風装置１０３の取り込み口１０３１とを繋ぐ。
接続ダクト１０９は、空気清浄装置１０４の取り込み口１０４１と空気取り込み口１０１とを繋ぐ。
接続ダクト１１０は、空気清浄装置１０５の吹き出し口１０５２と空気吹き出し口１０２とを繋ぐ。
【００２１】
次に、制御ユニット１０７の構成例について、図２を参照しながら説明する。
制御ユニット１０７は、電源入力部１０７１、出力部１０７２、出力部１０７３、信号入力部１０７４及び制御部１０７５を有し、それぞれ電気的に接続されている。
【００２２】
電源入力部１０７１は、外部から電源が入力される。
出力部１０７２は、信号線１１１を介して電動機１０３３に接続されている。この出力部１０７２からは、電動機１０３３を駆動するための電圧が出力される。
出力部１０７３は、信号線１１１を介して空気清浄装置１０５に接続されている。この出力部１０７３からは、空気清浄装置１０５の運転及び停止を制御するための制御信号が出力される。
信号入力部１０７４は、信号線１１１を介してセンサ１０６と接続されている。この信号入力部１０７４には、センサ１０６による検知結果を示す信号が入力される。
【００２３】
制御部１０７５は、信号入力部１０７４に入力された信号（センサ１０６による検知結果を示す信号）に基づいて、電動機１０３３に対する出力電圧及び空気清浄装置１０５に対する電源出力を制御する。
ここで、制御部１０７５は、センサ１０６により扉２０１が開いていることが検知された場合には、出力部１０７２を介して電動機１０３３の出力電圧を上げ、また、出力部１０７３を介して空気清浄装置１０５の運転を停止させる。一方、制御部１０７５は、センサ１０６により扉２０１が閉じていることが検知された場合には、出力部１０７２を介して電動機１０３３の出力電圧を下げ、また、出力部１０７３を介して空気清浄装置１０５を運転させる。
【００２４】
なお図２では、空気清浄装置１０５が電気により駆動するタイプである場合を想定し、制御ユニット１０７が空気清浄装置１０５に対する制御を行う場合を示している。
【００２５】
次に、実施の形態１に係る送風システムの動作例について説明する。まず、図１に示すように扉２０１が開いている状態について説明する。
この場合、まず、センサ１０６は、扉２０１が開いていることを検知する。そして、制御部１０７５は、このセンサ１０６による検知結果に基づいて、電動機１０３３の出力電圧を上げる。これにより、羽根車１０３４の回転スピードが上がり、空気吹き出し口１０２からかご２０２の内部に吹き出される空気量が増加する。また、制御部１０７５は、空気清浄装置１０５の運転を停止させて省エネを行う。
【００２６】
そして、かご２０２の天面における背面側に設けられた空気吹き出し口１０２から吹き出された空気は、かご２０２の内部の空気を誘引しながら背面に沿った下向きの気流３０１となる。そして、この気流３０１は、かご２０２の床面に沿った気流３０２となって進み、開いている扉２０１からエレベータホールに吹き出される気流３０３となる。
一方、エレベータホールに吹き出された空気と同量の空気３０４がエレベータホールからかご２０２の内部に誘引され、その一部は、かご２０２の天面における扉２０１側に設けられた空気取り込み口１０１に吸い込まれる。また、残りの気流は天面に沿って流れる。そして、このような空気の出入りと空気の誘引により、かご２０２の内部に渦上の気流３０５が生じる。これにより、かご２０２の内部の空気が効率良く短時間のうちにエレベータホールへ排出される。
【００２７】
次に、図３に示すように扉２０１が閉じている状態について説明する。
この場合、まず、センサ１０６は、扉２０１が閉じていることを検知する。そして、制御部１０７５は、このセンサ１０６による検知結果に基づいて、電動機１０３３の出力電圧を下げ、また、空気清浄装置１０５を運転させる。これにより、送風システムは、かご２０２の内部の空気を、エレベータに乗車した人が不快を感じない気流速度で循環させつつ、かご２０２の内部の空気を清浄する。
【００２８】
すなわち、かご２０２の天面における背面側に設けられた空気吹き出し口１０２から吹き出された流速の遅い空気は、かご２０２の内部の空気を緩やかに誘引しながら背面に沿った下向きの流速の遅い気流４０１となる。そして、この気流４０１は、かご２０２の床面に沿った流速の遅い気流４０２となって進み、閉じている扉２０１に沿って上向きの流速の遅い気流４０３となり、その一部は、かご２０２の天面における扉２０１側に設けられた空気取り込み口１０１に吸い込まれる気流４０４となる。また、残りの気流は天面に沿って流れ、この作用によってかご２０２の内部に縦渦の気流４０５が生じ、かご２０２の内部の空気全体を撹拌する。これにより、かご２０２の内部の空気は淀むことなく空気清浄装置１０４を通過し、軸流送風装置１０３より下流の空気清浄装置１０５を通過する気流は、その清浄機能によって浄化され、軸流送風装置１０３により再びかご２０２の内部に吹き出される。
【００２９】
このように、実施の形態１に係る送風システムでは、空気取り込み口１０１をかご２０２の天面における扉２０１側に設け、空気吹き出し口１０２をかご２０２の天面における背面側に設けることで、昇降路からの空気の導入をせず、扉２０１が閉じている場合でも、かご２０２の内部の空気が循環流として空気清浄装置１０４，１０５を繰り返し通過する。これにより、実施の形態１に係る送風システムでは、従来の一過性タイプの送風システムに対して、かご２０２の内部の清浄効果が格段に高まる。また、実施の形態１に係る送風システムでは、昇降路からの空気導入がないため、大量の砂塵又はカビ等の清浄が不要となり、清浄構造が小型化できる。
【００３０】
また、実施の形態１に係る送風システムでは、かご２０２が各フロアに停止している場合等のように扉２０１が開いている場合には、軸流送風装置１０３を高速運転する。これにより、実施の形態１に係る送風システムは、かご２０２の内部の空気を一気にエレベータホールへと押し出して置換換気でき、効率の高い空気清浄が可能となる。
また、実施の形態１に係る送風システムでは、かご２０２が昇降している場合又は待機している場合等のように扉２０１が閉じている場合には、軸流送風装置１０３を低速運転とし且つ空気清浄装置１０５を運転する。そして、送風システムは、乗車している人が不快にならない程度の遅い気流でかご２０２の内部に循環流を生じさせ、換気しきれなかった空気と乗車する人から持ち込まれた臭い及び塵埃等を、空気清浄装置１０４，１０５に何度も循環通過させて菌の不活性化により空気清浄する。これにより、実施の形態１に係る送風システムは、閉ざされた空間においても効率の高い空気清浄が可能となる。
【００３１】
以上のように、この実施の形態１によれば、送風システムは、エレベータが有するかご２０２の天面における扉２０１側に設けられ、当該かご２０２の内部に通じた空気取り込み口１０１と、かご２０２の天面における当該かご２０２の背面側に設けられ、当該かご２０２の内部に通じた空気吹き出し口１０２と、かご２０２の天面上に設けられ、空気取り込み口１０１から空気吹き出し口１０２へと空気を送風する軸流送風装置１０３と、かご２０２の天面上における軸流送風装置１０３の上流に配置され、空気取り込み口１０１から空気吹き出し口１０２へと流れる空気を清浄する空気清浄装置１０４と、かご２０２の天面上における軸流送風装置１０３の下流に配置され、空気取り込み口１０１から空気吹き出し口１０２へと流れる空気を清浄する空気清浄装置１０５とを備えた。これにより、実施の形態１に係る送風システムは、簡易且つ小型な構成で、従来構成に対して換気能力の高い送風システムを得ることができる。すなわち、実施の形態１に係る送風システムは、扉２０１が閉じている場合のようにかご２０２の隙間が少ない場合であっても、十分な換気能力を発揮できる。
また、この実施の形態１に係る送風システムは、かご２０２の内部の空気を循環する方式であるため、かご２０２の外部の空気を取り込む方式に対して、脱臭効果の低減を回避でき、また、外部環境による影響を低減できる。
【００３２】
実施の形態２．
図４はこの発明の実施の形態２に係る送風システムの構成例を示す図である。図４では、送風システムを備えたエレベータのうちの上部のみを図示している。
図４に示す実施の形態２に係る送風システムでは、図１に示す実施の形態１に係る送風システムに対し、軸流送風装置１０３、空気清浄装置１０４、空気清浄装置１０５及び制御ユニット１０７を一つの装置１１２として一体化している。その他の構成は同様であり、同一の符号を付してその説明を省略する。
【００３３】
装置１１２は、軸流送風装置１０３、空気清浄装置１０４、空気清浄装置１０５及び制御ユニット１０７の機能を有する。この装置１１２は、取り込み口１２１１が接続ダクト１０９に接続され、吹き出し口１２１２が空気吹き出し口１０２に直接接続されている。
このように、実施の形態２に係る送風システムでは、軸流送風装置１０３、空気清浄装置１０４、空気清浄装置１０５及び制御ユニット１０７を一体化した装置１１２を用いることで、中間ダクト１０８及び接続ダクト１１０が不要となる。その結果、送風システムの設置工事及びダクトの接続工事が簡素化される。また、送風システムの電気配線も簡素化されることから電気工事性が向上する。
【００３４】
また図４では、装置１１２の吹き出し口１２１２と空気吹き出し口１０２とを直接接続する場合を示した。しかしながら、これに限らず、装置１１２の取り込み口１２１１と空気取り込み口１０１とを直接接続してもよく、上記と同様の効果が得られる。
【００３５】
最後に、図５を参照して、実施の形態１，２における制御部１０７５のハードウェア構成例を説明する。
制御部１０７５の機能は、処理回路５０１により実現される。処理回路５０１は、図５Ａに示すように、専用のハードウェアであってもよいし、図５Ｂに示すように、メモリ５０３に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、又はＤＳＰ（Ｄｉｇｉｔａｌ  Ｓｉｇｎａｌ  Ｐｒｏｃｅｓｓｏｒ）ともいう）５０２であってもよい。
【００３６】
処理回路５０１が専用のハードウェアである場合、処理回路５０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。
【００３７】
処理回路５０１がＣＰＵ５０２の場合、制御部１０７５の機能は、ソフトウェア、ファームウェア、又はソフトウェアとファームウェアとの組み合わせにより実現される。ソフトウェア及びファームウェアはプログラムとして記述され、メモリ５０３に格納される。処理回路５０１は、メモリ５０３に記憶されたプログラムを読み出して実行することにより、制御部１０７５の機能を実現する。すなわち、制御部１０７５は、処理回路５０１により実行されるときに、上記に示した動作が結果的に実行されることになるプログラムを格納するためのメモリ５０３を備える。また、これらのプログラムは、制御部１０７５の手順及び方法をコンピュータに実行させるものであるともいえる。ここで、メモリ５０３としては、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の不揮発性又は揮発性の半導体メモリ、磁気ディスク、フレキシブルディスク、光ディスク、コンパクトディスク、ミニディスク、又はＤＶＤ（Ｄｉｇｉｔａｌ  Ｖｅｒｓａｔｉｌｅ  Ｄｉｓｃ）等が該当する。
【００３８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３９】
１０１  空気取り込み口、１０２  空気吹き出し口、１０３  軸流送風装置、１０４  空気清浄装置（第１の空気清浄装置）、１０５  空気清浄装置（第２の空気清浄装置）、１０６  センサ（開閉検知部）、１０７  制御ユニット（制御装置）、１０８  中間ダクト、１０９  接続ダクト、１１０  接続ダクト、１１１  信号線、１１２  装置、２０１  扉、２０２  かご、５０１  処理回路、５０２  ＣＰＵ、５０３  メモリ、１０３１  取り込み口、１０３２  吹き出し口、１０３３  電動機、１０３４  羽根車、１０４１，１０５１  取り込み口、１０４２，１０５２  吹き出し口、１０７１  電源入力部、１０７２  出力部、１０７３  出力部、１０７４  信号入力部、１０７５  制御部、１２１１  取り込み口、１２１２  吹き出し口。
【図１】
2020040821.tif 000003
【図２】
2020040821.tif 000004
【図３】
2020040821.tif 000005
【図４】
2020040821.tif 000006
【図５】
2020040821.tif 000007